(57)【特許請求の範囲】
【請求項１】
複数の計量時間帯に分けられた各計量時間帯で異なる動作を行う電力配電機器における時間帯表示装置において、
計量時間帯の番号を表示する時間帯番号表示部と、２４時間の時刻が表示された時計文字盤部と、該時計文字盤部に表示された時刻に対応して前記時間帯番号表示部に表示された番号の計量時間帯を図示する時間帯表示部とを有していることを特徴とする電力配電機器における時間帯表示装置。
【請求項２】
異なる計量時間帯の電力量を計量する複数の電力量計と、該複数の電力量計の計量結果を表示する電力量表示手段と、該電力量表示手段に表示されている計量結果がどの計量時間帯に属するかを表示する表示時間帯表示手段と、現在時刻を表示する現在時刻表示手段と、現在の計量時間帯を表示する計量時間帯番号表示手段とを有し、前記電力量表示手段に複数の計量時間帯のいずれか一の電力量計量結果を順次または選択して表示するようにした電子式電力量計において、
前記表示時間帯表示手段が、電力量表示手段に表示されている計量時間帯の番号を表示する表示時間帯番号表示部と、時刻が表示された時計文字盤部と、該時計文字盤部に表示された時刻に対応して計量時間帯を図示する時間帯表示部とを有していることを特徴とする電子式電力量計。
【請求項３】
前記表示時間帯表示手段が、前記時間帯表示部に対応してサマータイムシフト時間を表示するサマータイムシフト時間表示部を有していることを特徴とする請求項２に記載の電子式電力量計。
【請求項４】
前記表示時間帯表示手段が、特別な契約日の計量を表示する、特約日表示部を有することを特徴とする請求項２に記載の電子式電力量計。
【請求項５】
電子式電力量計が負荷への電力を供給または遮断する負荷スイッチを有し、前記表示時間帯表示手段が前記負荷スイッチの動作状態を表示する負荷スイッチ動作状態表示部を有することを特徴とする請求項２に記載の電子式電力量計。
【請求項６】
異なる計量時間帯の電力量を計量する複数の電力量計と、該複数の電力量計の計量結果を表示する電力量表示手段と、該電力量表示手段に表示されている計量結果がどの計量時間帯に属するかを表示する表示時間帯表示手段と、現在時刻を表示する現在時刻表示手段と、現在の計量時間帯を表示する計量時間帯番号表示手段と、時刻などを設定する設定ボタンとを有し、前記電力量表示手段に複数の計量時間帯のいずれか一の電力量計量結果を順次または選択して表示するようにした電子式電力量計であって、前記表示時間帯表示手段が、電力量表示手段に表示されている計量時間帯の番号を表示する表示時間帯番号表示部と、時刻が表示された時計文字盤部と、該時計文字盤部に表示された時刻に対応して計量時間帯を図示する時間帯表示部とを有している電子式電力量計に計量結果を表示する電力量表示方法において、
前記設定ボタンを操作して前記計量時間帯を変更または設定するときに、計量時間帯を表す数字と計量時間帯を図示する表示が連動して表示するようにした電力量表示方法。
【発明の詳細な説明】
【０００１】
【発明の属する技術分野】
本発明は、複数の計量時間帯に基づいて計量や制御を行う電力量計やタイムスイッチなどの電力配電機器における時間帯表示装置に関する。
【０００２】
【従来の技術】
電力料金の多様化にともない時間帯により異なる料金体系が適用され、異なる計量時間帯毎に使用電力量を計量する必要が生じている。さらに、時間帯ばかりでなく季節別に異なる料金体系をとることも考えられている。
【０００３】
配電機器などの時間帯によって異なる態様で電力量を計量したり、時間帯によって電力供給スイッチをオフにする制御を行う電力配電機器の表示部へ時間帯を表示する方式として下記の方式が行われている。
【０００４】
設定する時間帯が少ない低圧時間帯計器の場合は、図１０、図１１に示すように時間帯は工場出荷時に固定とし、その時間帯の表示は銘板に記載している。例えば、２時間帯の電力量計を示す図１０では、銘板３０に昼間電力を表示する電力量表示部３１−１と夜間電力を表示する電力量表示部３１−２の２台の電力量表示部３１と、現在時刻を表示する現在時刻表示部３３と、動作状態表示部３４と、電力量計の計器定数を赤外線発光出力する計量パルス表示部３５などが設けられている。動作状態表示部３４には、電力量計が動作状態にあることを液晶表示する動作状態表示部３４１と、無計量状態を液晶表示する無計量表示部３４２と、停電状態を液晶表示する停電状態表示部３４３が設けられている。
【０００５】
電力量表示部３１の昼間電力量表示部３１−１の近傍部分に時間帯表示（昼間７時〜２３時）３８−１を記載し、夜間電力量表示部３１−２の近傍部分に時間帯表示（夜間）３８−２を記載して、昼間と夜間の電力量を同時に表示している。
【０００６】
３時間帯の電力量計である図１１では、複数の電力量計の電力量を切り替えて表示する１台の電力量表示部３１と、現在時刻表示部３３と、動作状態表示部３４と、計量パルス表示部３５と、現在の計量時間帯を表示する計量時間帯番号表示部３６と、電力量表示部に表示されている時間帯がいずれの時間帯であるかを表示する表示時間帯表示部３９などが設けられている。
【０００７】
表示時間帯表示部３９および計量時間帯番号表示部３６の近傍に時間帯の種類とその時間を示す表４０を記載しており、電力量表示部３１に示されている電力量がどの時間帯の電力量であるかを表示時間帯表示部３９に前記表４０にある番号で表示し、現在の計量時間帯がどの時間帯であるのかを計量時間帯番号表示部３６に前記表４０にある番号で示している。
【０００８】
高圧多時間帯計器、例えば６時間帯サイクリック計器の場合は、図１２に示すように、銘板３０には、時間帯１、５の電力量表示部３１−１，時間帯２、６の電力量表示部３１−２，時間帯３の電力量表示部３１−３，時間帯４の電力量表示部３１−４からなる電力量表示部３１と、現在時刻表示部３３と、動作状態表示部３４と、力率測定用電力量表示部４１と、需要電力表示部４２とが設けられ、それぞれの電力量表示部３１−１〜１−４の近傍部分に時間帯３８−１〜８−４を記載している。力率測定用電力量表示部４１には、力率測定用の普通電力量表示部４１１−１と、無効電力量計の表示部４１１−２が設けられている。需要電力表示部４２には、最大需要電力を示す最大需要電力表示部４２１−１と、現時刻の需要電力を示す需要電力表示部４２１−２と、定格需要時限を現す時間表示部４２２とが設けられている。
【０００９】
このような方式では、時間帯をフィールドにおいて設定部により設定することが可能であるが、時間帯の表示は計器自体に表示されず運用によって対応している。
【００１０】
低圧時間帯計器では、時間帯が銘板３０に表４０として表示されているので、時間帯の確認を容易に行うことができるが、時間帯の設定を変更する場合には、計器自体を置き換えなければならず、使用者は各時間帯の計器を在庫しておく必要がある。
【００１１】
他方、高圧多時間帯計器では、時間帯を自由に変更することができるが、表示部に時間帯の内容が表示されていないので、時間帯の確認は設定部によって読み取る必要があり、一目で確認することができない。また、使用者がマニュアルによって複雑な内容を設定することは、設定誤りを引き起こす恐れがあるなどの欠点を有している。
【００１２】
【発明が解決しようとする課題】
本発明は、上記問題を解決するもので、計量時間帯、負荷スイッチ制御時間、サマータイムシフト量などの時間設定内容を確認しやすい形態で示すようにした時間帯表示装置およびこのような時間帯表示方法を用いた電子式電力量計を提供することを目的とする。
【００１３】
【課題を解決するための手段】
上記課題を解決するために、本発明は、複数の計量時間帯に分けられた各計量時間帯で異なる動作を行う電力配電機器における時間帯表示装置を、計量時間帯の番号を表示する時間帯番号表示部と、２４時間の時刻が表示された時計文字盤部と、該時計文字盤部に表示された時刻に対応して前記時間帯番号表示部に表示された番号の計量時間帯を図示する時間帯表示部とを設けて構成した。
【００１４】
また、本発明は、異なる計量時間帯の電力量を計量する複数の電力量計と、該複数の電力量計の計量結果を表示する電力量表示手段と、該電力量表示手段に表示されている計量結果がどの計量時間帯に属するかを表示する表示時間帯表示手段と、現在時刻を表示する現在時刻表示手段と、現在の計量時間帯を表示する計量時間帯番号表示手段とを有し、前記電力量表示手段に複数の計量時間帯のいずれか一の電力量計量結果を順次または選択して表示するようにした電子式電力量計において、前記表示時間帯表示手段部に、電力量表示手段に表示されている計量時間帯の番号を表示する表示時間帯番号表示部と、時刻が表示された時計文字盤部と、該時計文字盤部に表示された時刻に対応して計量時間帯を図示する時間帯表示部とを設けた。
【００１５】
本発明は、上記電子式電力量計において、前記表示時間帯表示手段に、前記時間帯表示部に対応してサマータイムシフト時間を表示するサマータイムシフト時間表示部または、特別な契約日の計量を表示する特約日表示部を設けた。
【００１６】
さらに本発明は、上記電子式電力量計において、負荷への電力を供給または遮断する負荷スイッチを設けるとともに、表示時間帯表示手段に前記負荷スイッチの動作状態を表示する負荷スイッチ動作状態表示部を設けた。
【００１７】
さらに、本発明は、上記時間帯表示装置または電子式電力量計において、前記時計文字盤部を、円周状に２４時間を配列した形状または直線状に２４時間を配列した形状とした。
【００１８】
本発明は、上記課題を解決するために、異なる計量時間帯の電力量を計量する複数の電力量計と、該複数の電力量計の計量結果を表示する電力量表示手段と、該電力量表示手段に表示されている計量結果がどの計量時間帯に属するかを表示する表示時間帯表示手段と、現在時刻を表示する現在時刻表示手段と、現在の計量時間帯を表示する計量時間帯番号表示手段と、時刻などを設定する設定ボタンとを有し、前記電力量表示手段に複数の計量時間帯のいずれか一の電力量計量結果を順次または選択して表示するようにした電子式電力量計であって、前記表示時間帯表示手段が、電力量表示手段に表示されている計量時間帯の番号を表示する表示時間帯番号表示部と、時刻が表示された時計文字盤部と、該時計文字盤部に表示された時刻に対応して計量時間帯を図示する時間帯表示部とを有している電子式電力量計の計量結果を表示する電力量表示方法において、前記設定ボタンを操作して前記計量時間帯を変更または設定するときに、計量時間帯を表す数字と計量時間帯を図示する表示が連動して表示されるようにした。
【００１９】
【発明の実施の形態】
本発明にかかる時間帯表示の例を図１および図２を用いて説明する。図１は本発明にかかる時間帯表示装置を用いた電子式電力量計の外観を示す一部切断正面図であり、図２は、図１に示した電子式電力量計の表示時間帯表示部３２を拡大して示す拡大図である。この電子式電力量計は、１台の電力量表示部３１に異なる計量時間帯の電力量を計量する複数の電力量計の計量結果を選択してまたは順次表示するように構成されるとともに、表示されている電力量がどの計量時間帯であるのかを表示するように構成されている。
【００２０】
この実施の形態にかかる電子式電力量計１０は、その表面の銘板３０の部分に、電力量表示部３１と、表示時間帯表示部３２と、現在時刻表示部３３と、動作状態表示部３４と、計量パルス出力部３５と、現在計量中の時間帯番号を示す計量時間帯番号表示部３６とを備えている。さらにこの電子式電力量計１０は、各種の数値などの設定を行う設定部３７とを有している。設定部３７には、設定ボタン３７１と記憶ボタン３７２が設けられている。
【００２１】
前記電力量表示部３１は、複数の電力量計の計量結果を表示する電力量表示手段を構成する。
【００２２】
上記表示時間帯表示部３２は、電力量表示手段に表示されている計量結果がどの計量時間帯に属するかを表示する表示時間帯表示手段を構成する。
【００２３】
現在時刻表示部３３は、現在時刻を表示する現在時刻表示手段を構成する。
【００２４】
計量時間帯番号表示部３６は、現在の計量時間帯を表示する計量時間帯番号表示手段を構成する。
【００２５】
表示時間帯表示部３２のより具体的な態様を図２を用いて説明する。表示時間帯表示部３２は、例えば液晶表示装置を用いて構成され、電力量表示部３１に現在表示中の計量時間帯番号を示す表示時間帯番号表示部３２１と、２４時間を円周状に配置して時刻を表示した時計文字盤部３２２と、計量時間帯番号に対応する計量時間帯を該時計文字盤に対応したセグメントで図示する時間帯表示部３２３と、サマータイムシフト時間であることを該時間帯表示部に対応したセグメントで図示するサマータイムシフト時間表示部３２４と、例えば休日等特定の日をある特定の時間帯で計量していることを表示する特約日表示部３２５と、電子式電力量計が負荷スイッチ機能を有する場合に特定の時間帯で負荷スイッチのオン状態を示す負荷スイッチオン状態表示３２６１と負荷スイッチのオフ状態を示す負荷スイッチオフ状態表示３２６２からなる負荷スイッチのオンオフ状態を表示する負荷スイッチ動作状態表示部３２６とを有して構成される。
【００２６】
サマータイムシフト時間表示部３２４は、サマータイムシフト時間であることを表示する部分であり、この図では１時間〜４時間の範囲でシフトさせることができる場合を示している。サマータイムシフト時間表示部３２４が１セグメント点灯されているときには１時間シフトしていることを４セグメント点灯している場合は４時間シフトしていることを示している。サマータイムシフト時間表示部３２４におけるカレンダーまたは開始日および終了日ならびにシフト時間の設定は、図１に示した設定部３７または図示を省略した接続端子に接続したパームトップパソコンなどの設定器や他の通信機器によって行われる。
【００２７】
図３を用いて、本発明にかかる時間帯表示方法の具体例を説明する。図３は、本発明にかかる電子式電力量計１０の銘板３０の表示部分を示す図である。図３（Ａ）に示すように、現在時刻表示部３３に表された現在時刻は８時２６分であり、このときの計量時間帯は計量時間帯番号表示部３６に示されるように“１”である。電力量表示部３１に示される電力量は“１６．０８ｋＷｈ”であり、この計量時間帯は“１”であることが表示時間帯番号表示部３２１に表示され、時間帯番号“１”の計量時間帯が７時〜１６時、および、１８時〜２３時から構成されることが時間帯表示部３２３に図示されている。動作状態表示部３４は、動作状態表示部３４１が負荷に応じて点滅しその他の無計量状態表示部３４２および停電表示部３４３は消灯している。
【００２８】
図３（Ｂ）は、図３（Ａ）の表示状態がしばらく継続した後、電力量表示部３１と表示時間帯表示部３２の表示が切り替わった状態を示しており、電力量表示部３１に示される電力量は“８．２０ｋＷｈ”であり、この計量時間帯は“２”であることが表示時間帯番号表示部３２１に表示され、計量時間帯番号“２”の時間帯が１６時〜１８時であることが時間帯表示部３２３に図示されている。
【００２９】
図３（Ｃ）は、図３（Ｂ）の表示状態がしばらく継続した後、電力量表示部３１と表示時間帯表示部３２の表示が切り替わった状態を示しており、電力量表示部３１に示される電力量は“１０．８２ｋＷｈ”であり、この計量時間帯は“３”であることが表示時間帯番号表示部３２１に表示され、計量時間帯番号“３”の時間が２３時〜７時であることが時間帯表示部３２３に図示されている。
【００３０】
このように、この発明によれば、一つの電力量表示部３１に複数の計量時間帯の電力量を計量時間帯１→計量時間帯２→計量時間帯３→計量時間帯１のように順に表示することができるとともに、電力量表示部３１に現在表示されている計量時間帯がどの時間帯であるか、またその計量時間帯が何時から何時までであるのかが、表示時間帯表示部３２に判りやすい形態で示される。
【００３１】
この説明では、電力量表示部３２に表示される計量時間帯を所定の間隔で自動的に変更する例を示したが、表示時間帯を変更する操作部を設けて、この操作部を操作することによって強制的に必要とする計量時間帯を表示させることができる。
【００３２】
図４を用いて、計量時間帯に特約日を追加した場合の特約日の表示態様を説明する。図４に示すように、現在時刻表示部３３に表された現在時刻は６時０８分であり、このときの計量時間帯は計量時間帯番号表示部３６に示されるように“４”である。さらに、電力量表示部３１に示される電力量は“１５．２０ｋＷｈ”であり、この計量時間帯は“４”であることが表示時間帯番号表示部３２１に表示され、計量時間帯番号“４”の時間帯が０時〜２４時であることが時間帯表示部３２３に図示されている。動作状態表示部３４は、動作状態表示部３４１が点滅しその他は消灯している。特約日表示部３２５の表示が点灯して特約日の計量をしていることが表示される。
【００３３】
図５を用いて、負荷スイッチ機能を追加した場合の表示状態を説明する。この例では、計量時間帯が２時間帯で、時間帯２で負荷スイッチを開放して負荷を遮断する場合を示している。図５（Ａ）は、計量時間帯１の表示状態を示しており、図５（Ｂ）は計量時間帯２の表示状態を示している。
【００３４】
図５（Ａ）に示すように、現在時刻表示部３３に表された現在時刻は２３時３２分であり、このときの計量時間帯は計量時間帯番号表示部３６に示されるように“１”である。さらに、電力量表示部３１に示される電力量は“２．６２ｋＷｈ”であり、この計量時間帯は“１”であることが表示時間帯番号表示部３２１に表示され、計量時間帯番号“１”の時間が２３時〜７時であることが時間帯表示部３２３に示されている。動作状態表示部３４は、動作状態表示部３４１が点滅しその他は消灯している。負荷スイッチ動作状態表示部の負荷スイッチオン状態表示３２６１が点灯し、負荷に電力が供給されていることが表示される。
【００３５】
時刻が計量時間帯１を外れた場合、図５（Ｂ）に示すように、現在時刻表示部３３に表された現在時刻は０９時１８分であり、このときの計量時間帯は計量時間帯番号表示部３６に示されるように“２”である。さらに、電力量表示部３１に示される電力量は“０．００ｋＷｈ”であり、この計量時間帯は“２”であることが表示時間帯番号表示部３２１に表示され、計量時間帯番号“２”の時間帯が７時〜２３時であることが時間帯表示部３２３に図示されている。動作状態表示部３４は、無計量状態表示部３４２が点灯しその他は消灯している。負荷スイッチ動作状態表示部３２６の負荷スイッチオフ状態表示３２６２が点灯し、負荷スイッチが開放され負荷が遮断されていることが表示される。
【００３６】
図６〜図８を用いて、マニュアルによって上記電子式電力量計における時間帯や時刻を設定する手順を説明する。
【００３７】
図６は通常画面（Ａ）から移行モード画面（Ｂ）および時間帯確認画面（Ｃ）または時間帯設定画面（Ｄ）に移行する態様を示している。今、図６（Ａ）に示す通常画面が表示されているときに、図１に示した設定部３７の設定ボタン３７１を操作すると、現在時刻表示部３３の時刻表示が“００”に変わって点滅表示され、図６（Ｂ）に示す移行モード画面に移行する。さらに前記設定ボタン３７１を操作すると現在時刻表示部３３の表示が“０１”に変わって点滅表示され、図６（Ｃ）に示す時間帯確認モード画面に移行する。さらに前記設定ボタン３７１を操作すると現在時刻表示部３３の表示が“０２”に変わって点滅表示され、図６（Ｄ）に示す時間帯設定モード画面に移行する。前記操作ボタン３７１を操作する毎に、画面は“００”→“０１”→“０２”→“００”の順にインクリメントされる。
【００３８】
それぞれの画面で、図１に示した設定部３７の記憶ボタン３７２を操作するとモードが確定して各モードへ移行する。
【００３９】
図６（Ｃ）の時間帯確認モード画面で、前記記憶ボタン３７２を操作すると、図７（Ａ）に示す時間帯確認モード画面（時間帯１）に移行する。この時間帯確認モード画面（時間帯１）では、電力量表示部３１に設定されている計量時間帯を構成する時間が“０７−２３”のように数字で表示され、表示時間帯表示部３２の表示時間帯番号表示部３２１に設定時間帯番号“１”が表示される。さらに、時計文字盤部３２１の時間帯表示部３２２にはセグメント７〜１５およびセグメント１８〜２２が選択されて、設定時間帯番号に対応した実際の時間帯の割り振りが図示される。現在時刻表示部３３には、時間帯確認モード画面であることを表示する“０１”が表示され、計量時間帯番号表示部３６には設定されている計量時間帯の数“３”が表示される。
【００４０】
前記記憶ボタン３７２を操作すると、画面送りされて、図７（Ｂ）に示す時間帯確認モード画面（時間帯２）に移行する。この時間帯確認モード画面（計量時間帯２）では、電力量表示部３１に設定されている時間帯が“１６−１８”のように数字で表示され、表示時間帯表示部３２の表示時間帯番号表示部３２１に設定時間帯番号“２”が表示される。さらに、時計文字盤部３２１の時間帯表示部３２２にはセグメント１６およびセグメント１７が選択されて、設定時間帯番号に対応した実際の時間帯の割り振りが図示される。
【００４１】
上記の画面で前記記憶ボタン３７２を操作すると、画面送りされて、図７（Ｃ）に示す時間帯確認モード画面（計量時間帯３）に移行する。この時間帯確認モード画面（計量時間帯３）では、電力量表示部３１に設定されている計量時間帯が“２３−０７”のように数字で表示され、表示時間帯表示部３２の表示時間帯番号表示部３２１に設定時間帯番号“３”が表示される。さらに、時計文字盤部３２１の時間帯表示部３２２にはセグメント２３〜６が選択されて、設定時間帯番号に対応した実際の計量時間帯の割り振りが図示される。
【００４２】
全ての時間帯が表示されると、前記記憶ボタン３７２を操作することによって、時間帯確認モード画面を終了し通常画面図６（Ａ）へ移行する。また、いずれかの時間帯確認モード画面で前記設定ボタン３７１を操作するとモード設定画面へ戻る。
【００４３】
図６に示した３時間帯を表示する態様から８時から２２時までの計量時間帯“１”と２２時〜８時までの計量時間帯“２”からなる２時間帯を表示する態様に設定変更する例を説明する。図６（Ｄ）の時間帯設定画面で、前記記憶ボタン３７２を操作すると図８（Ａ）に示す時間帯設定モード画面に移行する。この時間帯設定モード画面では、電力量表示部３１には２３時〜７時までの計量時間帯番号“３”の積算電力量“７８．２６ｋＷｈ”が表示され、表示時間帯表示部３２の表示時間帯番号表示部３２１に設定時間帯番号“３”が、時計文字盤部３２１の時間帯表示部３２２にはセグメント２３〜７が選択されて、設定時間帯番号に対応した実際の計量時間帯の割り振りが図示され、現在時刻表示部３３には、時間帯設定モード画面であることを表示する“０２”が表示されている。計量時間帯番号表示部３６には現在設定されている時間帯数“３”が点滅表示され、計量時間帯数を設定するモードであることを表示している。
【００４４】
ここで、前記設定ボタン３７１を操作して計量時間帯番号表示部３６に表示された時間帯数をインクリメントして“３”を“２”に変更した後、前記記憶ボタン３７２を操作して計量時間帯番号表示部３６に計量時間帯数“２”を設定して２時間帯を表示する態様へ移行する。設定できる計量時間帯数は１〜最大時間帯数まで可能とされている。この操作によって、図８（Ｂ）に示す時間帯設定モード（計量時間帯１）に移行する。
【００４５】
図８（Ｂ）に示す時間帯設定モード（計量時間帯１）では、計量時間帯番号表示部３６に時間帯数“２”が設定されており、表示時間帯表示部３２には、“１”が表示され設定する時間帯が計量時間帯１であることを、電力量表示部３１には“０７―２３”が表示され、計量時間帯１を構成する時間が７時〜２３時であることを示している。さらに表示時間帯表示部３２の時間帯表示部３２３は“７時〜１６時”および“１８時〜２３時”のセグメントが表示されている。この画面で電力量表示部３１の開始時刻“０７”が点滅しており、開始時刻を訂正することを促している。
【００４６】
時間帯１を構成する時間を“７時〜２３時”から“８時〜２２時”へ変更する場合には、この状態で前記設定ボタン３７１を操作して数字送りをする。この数字送りは、前記設定ボタン３７１を２秒間以上押すと早送りとすることができる。数字送りにより“０７”を“０８”として開始時間を表示した後、前記記憶ボタン３７２を操作して確定すると、図８（Ｃ）に示す終了時刻設定モードへ移行する。
【００４７】
図８（Ｃ）に示す終了時刻設定モードでは、表示時間帯表示部３２の時間帯表示部３２３は“８時〜２３時”のセグメントが表示され、終了時刻“２３”が点滅しており、終了時刻を訂正することを促している。この状態で設定部３７の前記設定ボタン３７１を操作して数字送りし、“２３”を“２２”とした後、前記記憶ボタン３７２を操作して確定するとともに、表示時間帯表示部３２の時間帯表示部３２３は“８時〜２２時のセグメントが表示される。この後、画面は図８（Ｄ）に示す時間帯２の開始時刻設定モード画面に移行する。
【００４８】
図８（Ｄ）に示す時間帯２の開始時刻設定モード画面では、計量時間帯番号表示部３６に時間帯数“２”が設定されており、表示時間帯表示部３２には“２”が表示され設定する時間帯が時間帯２であることを、電力量表示部３１には“１６―１８”が表示され時間帯２を構成する時間が１６時〜１８時であることを示し、表示時間帯表示部３２の時間帯表示部３２３は“１６時〜１８時”のセグメントが図示されている。この画面で電力量表示部３１の開始時刻  “１６”が点滅しており、開始時刻を訂正することを促している。計量時間帯２を構成する時間を“１６時〜１８時”から“２２時〜８時”へ変更する場合には、この状態で設定部３７の前記設定ボタン３７１を操作して数字送りをして  “１６”を“２２”とした後、前記記憶ボタン３７２を操作して開始時刻を確定すると、表示時間帯表示部３２の時間帯表示部３２３は“２２時〜１８時”のセグメントが図示される。その後、図８（Ｅ）に示す終了時刻設定モードへ移行する。
【００４９】
図８（Ｅ）に示す終了時刻設定モードでは、終了時刻“１８”が点滅しており、終了時刻を訂正することを促している。この状態で設定部３７の前記設定ボタン３７１を操作して数字送りして“１８”を“０８”とした後、前記記憶ボタン３７２を操作して終了時刻を確定すると、表示時間帯表示部３２の時間帯表示部３２３には“２２時〜８時”のセグメントが図示され時間帯１と時間帯２の開始時刻と終了時刻が設定される。この後、画面は図８（Ｆ）に示す現在時刻設定モード画面に移行する。
【００５０】
表示された時刻“１８：０８”を“１２：３０”に設定し直す現在時刻設定モードでは、図８（Ｅ）の計量時間帯２の終了時刻設定モードで確定した計量時間帯２の内容が表示されており、現在時刻表示部３３の時間部分の“１８”が点滅表示されている。前記設定ボタン３７１を操作して表示を“１８”から“１２”に変更した後、記憶ボタン３７２を操作して確定する。現在時刻の時間部分が設定されると、図８（Ｇ）に示す現在時刻分部分設定画面に移行する。
【００５１】
図８（Ｇ）の現在時刻分部分設定画面では、現在時刻表示部の分部分の“０８”が点滅表示されている。前記設定ボタン３７１を操作して表示を“０８”から“３０”に変更した後、時刻１２時３０分００秒で記憶ボタン３７２を操作して確定すると、図８（Ｈ）に示す通常画面に移行する。
【００５２】
これらの各種の設定手順においては、時間帯の開始時刻および終了時刻は、後から設定された計量時間帯を優先とする。例えば、計量時間帯１を“０７−２３”、計量時間帯２を“１６−１８”と設定した場合には、計量時間帯１の実際の計量を行う計量時間帯は、“７時〜１６時”と“１８時〜２３時”に割り振られる。
【００５３】
図９を用いて、表示時間帯表示部３２の別の態様を説明する。図１〜図８に示した表示時間帯表示部３２の時計文字盤３２２は円周状に２４時間が表示された時計文字盤として示されたが、図９の例では、表示時間帯表示部３２の時計文字盤３２２を“０〜１２”、“１２〜２４“の時間が上下に並んだ帯状の文字盤とし、時間帯表示部３２３およびサマータイムシフト時間表示部３２４を文字盤に対応して配置している。このような表示としても、図１〜図８に示した場合と同様に選択した時間帯を電力量表示部３１に数字で表示するとともに表示時間帯表示部３２の時計文字盤３２２と時間帯表示部３２３に図示するので、時間帯をきわめて容易に確認することができる
【００５４】
【発明の効果】
本発明によれば、複数の計量時間帯の電力量を１台の電力量表示手段に順次表示するようにした電子式電力量計において、前記電力量表示時手段に表示されている電力量の計量時間帯を表示するとともに、その計量時間帯がどのように構成されているのかを時計文字盤に対応して図示したので、１台の電力量表示手段に複数の計量時間帯の電力量を順次または選択して表示することができるとともに、前記電力量表示手段に表示されている電力量の計量時間帯がどの計量時間帯に属するのかを正確に知ることができ、さらに、その計量時間帯がどのように構成されているかを図によって容易に知ることができる。
【００５５】
さらに、本発明の電子式電力量計においては、計量時間帯の確認モードにおいて、それぞれの計量時間帯の開始時刻と終了時刻を電力量表示部３２に表示するので、正確に確認することができる。
【００５６】
また、本発明の電子式電力量計においては、計量時間帯数と計量時間帯の構成を自由に変更して設定することができるとともに、設定時に設定する時刻が具体的に表示されるので設定間違いを少なくすることができ、比較的複雑な時間制御を行う場合に有効である。
【図面の簡単な説明】
【図１】本発明にかかる時間表示装置を用いた電子式電力量計の外部形状を示す正面図。
【図２】図１に示した電子式電力量計の表示時間帯表示部の態様を示す図。
【図３】図１に示した電子式電力量計の各計量時間帯の表示の形態を説明する図。
【図４】図１に示した電子式電力量計の特約日の表示の形態を説明する図。
【図５】図１に示した電子式電力量計に負荷スイッチを設けた場合の負荷スイッチの動作状態の表示を説明する図。
【図６】図１に示した電子式電力量計の通常と確認と設定の各モードにおける画面の表示形態を説明する図。
【図７】図１に示した電子式電力量計の各計量時間帯の設定内容を確認する画面を説明する図。
【図８】図１に示した電子式電力量計における各計量時間帯を設定する手順を説明する図。
【図９】本発明にかかる時間表示装置を用いた電子式電力量計の表示時間帯表示部の他の形態を説明する図。
【図１０】従来の電子式電力計の銘板部の形態を説明する図。
【図１１】従来の電子式電力計の銘板部の他の形態を説明する図。
【図１２】従来の電子式電力計の銘板部の他の形態を説明する図。
【符号の説明】
１０  電子式電力量計
３０  銘板
３１  電力量表示部
３２  表示時間帯表示部
３３  現在時刻表示部
３４  動作状態表示部
３５  計量パルス出力部
３６  計量時間帯番号表示部
３７  設定部
３８  時間帯
３９  表示時間帯表示部
４０  表
４１  力率測定用電力量表示部
４２  需要電力量表示部
３２１  表示時間帯番号表示部
３２２  時計文字盤部
３２３  時間帯表示部
３２４  サマータイムシフト時間表示部
３２５  特約日表示部
３２６  負荷スイッチ動作状態表示部
３４１  動作状態表示部
３４２  無計量表示部
３４３  停電状態表示部
４１１  表示部
４１１  普通電力量表示部
４２１  最大需要電力量表示部
４２１  需要電力量表示部
４２２  時間表示部
【図１】
0003589922.tif 000002
【図２】
0003589922.tif 000003
【図３】
0003589922.tif 000004
【図４】
0003589922.tif 000005
【図５】
0003589922.tif 000006
【図６】
0003589922.tif 000007
【図７】
0003589922.tif 000008
【図８】
0003589922.tif 000009
【図９】
0003589922.tif 000010
【図１０】
0003589922.tif 000011
【図１１】
0003589922.tif 000012
【図１２】
0003589922.tif 000013